(57)【要約】【課題】  外乱光を投射することで不正器具を誤動作させ、不正行為を防止する遊技機を提供する。【解決手段】  第一の発光部９１と、第一の発光部から出射された光が遊技媒体で遮光又は反射されたことを検知する受光部９２とを備える遊技機であって、受光部９２に受光されることなく、第一の発光部９１から受光部９２に亘る光の伝播経路Ｒの一部を照射する第二の発光部９３を備える構成としてある。【選択図】    図４
2013223657.tif 000002
【特許請求の範囲】
【請求項１】
第一の発光部と、前記第一の発光部から出射された光が遊技媒体で遮光又は反射されたことを検知する受光部とを備える遊技機であって、
前記受光部に受光されることなく、前記第一の発光部から前記受光部に亘る前記光の伝播経路の一部を照射する第二の発光部を備える
ことを特徴とする遊技機。
【請求項２】
前記第二の発光部は、
前記第一の発光部から出射される光の光軸と、前記第二の発光部から出射される光の光軸とが鋭角で交差するように配置される
ことを特徴とする請求項１記載の遊技機。
【請求項３】
前記第二の発光部を、前記第一の発光部が出射する光の出射態様とは異なる出射態様で発光させる発光態様制御手段を備える
ことを特徴とする請求項１又は２記載の遊技機。
【発明の詳細な説明】
【技術分野】
【０００１】
本発明は、発光部と、この発光部から出射された光が遊技媒体で遮光又は反射されたことを検知する受光部とを有する遊技機に関し、特に、遊技媒体の通過又は非通過と見せかけた擬似光を受光部に入射させる不正行為を阻止する遊技機に関する。
【背景技術】
【０００２】
スロットマシンやパチンコ機などの遊技機は、遊技球やメダルなどの遊技媒体を検出するための検知手段を備えている。
このような検知手段として、一対の発光部と受光部とを有し遊技媒体を光学的に検知する通過型又は反射型のフォトセンサなどがある。このようなフォトセンサは、発光部と受光部との間等を通過する遊技媒体を非接触で検知可能であり、耐久性に優れることから、多くの遊技機に採用されている。
【０００３】
ところが、フォトセンサは、遊技媒体を検知可能に構成されているものの、その遊技媒体の真偽までも判定する機能を有していないことから、遊技媒体の通過又は非通過と見せかけた擬似光を受光部に入射することで、真の遊技媒体を使用することなく、遊技媒体を窃取する不正行為が行なわれている。
【０００４】
このような不正行為は、例えば、遊技機の隙間、遊技媒体の投入口及び払出口等からＬＥＤ等の発光素子を先端部に備えるプラスチックの板（セル）などの不正器具を挿入し、発光部と受光部との間にセットしてフォトセンサを遊技媒体の検知状態にするとともに、受光部に対して発光部からの光と見せかけたＬＥＤ光を適当な周期で投射することで、遊技媒体の通過状態及び非通過状態を交互に作り出すことで行われる。
【０００５】
このような不正行為を防止するために、発光部から出射される光を予め設定された周期で発光するパルス光とするとともに、受光するパルス光の周期が設定された周期と一致するか否かを監視することにより、発光部からの真のパルス光と、これに見せかけた偽のパルス光との判別を行う遊技媒体検知装置が提案されている（例えば、特許文献１）。
これにより、遊技媒体の検知状態又非検知状態において、受光パルスの周期を監視することで、不正行為を発見することができる。
【先行技術文献】
【特許文献】
【０００６】
【特許文献１】特開２００７−２８２９７０号公報
【発明の概要】
【発明が解決しようとする課題】
【０００７】
ところが、特許文献１記載の遊技媒体検知装置では、以下のような不正行為に対して防御することができなかった。
ここで、従来の問題について、図６を参照しながら説明する。
図６は、発光部９１と、これより出射された出射光９１１が遊技媒体（メダル）で遮光されたことを検知する受光部９２とを有する透過型の遊技媒体検知手段（フォトインタラプタ）の構成を模式的に示した説明図であり、図（ａ）は、図中右下方向に傾斜した通過経路９０を転動するメダルを、通過経路９０を間に挟んで配置される発光部９１と受光部９２とで検知している様子を示す図であり、図（ｂ）は、発光部９１から出射された出射光９１１が受光部９２に入射される様子を示すＢ−Ｂ断面図であり、図（ｃ）は、発光部９１、受光部９２及び出射光９１１の伝播経路Ｒに挿入された不正器具Ｆとの配置関係を示す断面図である。
【０００８】
遊技媒体検知手段は、図６（ａ）〜（ｃ）に示すように、発光部９１と受光部９２とが通過経路９０を間に挟んで配置されることで、発光部９１から出射された出射光９１１が通過経路９０を通過するメダルで遮光されることを受光部９２が検知することにより、メダルの通過を検知するようになっている。
このような構成により遊技媒体を検知する場合において、図（ｃ）に示すような不正器具Ｆが出射光９１１の伝播経路Ｒに挿入される。
この不正器具Ｆは、発光部９１に対向配置される受光部ｆ２と、受光部９２に対向配置される発光部ｆ１と、発光部ｆ１の発光周期を制御する図示しない発光制御部等を備えている。
このような構成を有する不正器具Ｆは、受光部ｆ２において発光部９１からのパルス光の周期を読み取りながら、このパルス光をコピーした擬似光を発光部ｆ１からメダルの通過時間に相当する間隔をおいて出射することで、遊技媒体の通過状態及び非通過状態を交互に作り出すようになっている。
このような不正器具Ｆを用いることで、真の遊技媒体を使用することなく、遊技が行われたり、遊技媒体が窃取されたりすると、遊技場は多大な損害を被ることになる。
【０００９】
本発明は、上述したような問題を解決するために提案されたものであり、上記の不正器具に対して外乱光を投射する第二の発光部を備えることで、不正器具に誤動作を誘発させて不正行為を阻止する遊技機の提供を目的とする。
【課題を解決するための手段】
【００１０】
上記目的を達成するため、本発明の遊技機は、第一の発光部と、前記第一の発光部から出射された光が遊技媒体で遮光又は反射されたことを検知する受光部とを備える遊技機であって、前記受光部に受光されることなく、前記第一の発光部から前記受光部に亘る前記光の伝播経路の一部を照射する第二の発光部を備える構成としてある。
【発明の効果】
【００１１】
本発明の遊技機によれば、不正器具に外乱光を投射することで、誤動作を誘発させて不正行為を阻止することができる。
【図面の簡単な説明】
【００１２】
【図１】本発明の一実施形態に係る遊技機の外観を示す概略正面図である。
【図２】本発明の一実施形態に係る遊技機の内部構成を示す概略斜視図である。
【図３】本発明の一実施形態に係る遊技機の制御構成を示すブロック図である。
【図４】本発明の一実施形態に係る遊技機における遊技媒体検知手段の要部構成を模式的に示した説明図であり、（ａ）は、通過経路を通過する遊技媒体（メダル）を、通過経路を間に挟んで配置される発光部と受光部とで検知している様子を示す通過経路に沿った正面図であり、（ｂ）は、発光部から出射された出射光が受光部に入射されるとともに、第二の発光部が受光部に入射されない外乱光を出射する様子を示すＡ−Ａ断面図である。
【図５】本発明の一実施形態に係る遊技機における遊技媒体検知手段の制御構成を示すブロック図である。
【図６】従来の遊技機における遊技媒体検知手段の要部構成を模式的に示した説明図であり、（ａ）は、通過経路を通過する遊技媒体（メダル）を、通過経路を間に挟んで配置される発光部と受光部とで検知している様子を示す通過経路に沿った正面図であり、（ｂ）は、発光部から出射された出射光が受光部に入射される様子を示すＢ−Ｂ断面図であり、（ｃ）は、発光部、受光部及び出射光の伝播経路Ｒに挿入された不正器具Ｆとの配置関係を示す断面図である。
【発明を実施するための形態】
【００１３】
以下、本発明に係る遊技機の好ましい実施形態について、各図を参照して説明する。
【００１４】
［遊技機］
発光部と、発光部から出射された光が遊技媒体で遮光又は反射されたことを検知する受光部とを備える遊技機には、スロットマシン、パチンコ機など様々な種類があるが、本実施形態では、本発明をスロットマシンに適用した場合について説明する。
【００１５】
本実施形態のスロットマシン１は、複数のリールを回転させることによって遊技媒体であるメダルを獲得できる回胴式遊技機として構成されており、投入されるメダルを検知する遊技媒体検知手段が、第一の発光部と、第一の発光部から出射された光が遊技媒体で遮光又は反射されたことを検知する受光部とを有しながらも、受光部に受光されることなく、第一の発光部から受光部に亘る光の伝播経路の一部を照射する第二の発光部を備えることで、第二の発光部から出射される外乱光により不正器具Ｆの誤動作を誘発させて、不正行為を阻止するようになっている。
以下、本実施形態に係るスロットマシン１について図１〜図３を参照しながら詳述する。
【００１６】
これらの図に示すように、本実施形態のスロットマシン１は、回動可能に軸支された複数のリール４１ａ，４１ｂ，４１ｃが内蔵され、正面側が開口した筐体１ｂと、筐体１ｂの正面側を開閉可能に覆う前扉１ａとで構成され、内部には、マイクロコンピュータ等で構成されたメイン制御部１０、メイン制御部１０からの指令により、表示器８ａ，スピーカ８ｂ，ＬＥＤ等のランプ類などの演出手段を制御するサブ制御部２０、及び必要な機械，装置等が収納されている。
【００１７】
前扉１ａは、図２に示すように、スロットマシン１の筐体１ｂにヒンジ等を介して開閉可能に取り付けられる扉体で、この前扉１ａに遊技操作に係る複数の操作手段が設けられて、スロットマシン１の正面部を構成している。
【００１８】
操作手段としては、メダルが投入されるメダル投入口２と、装置内部にクレジットとして貯留されたメダルをゲームに投じるベットボタン２ａと、各リール４１ａ，４１ｂ，４１ｃの回転を始動させるスタートレバー３と、回転している各リール４１ａ，４１ｂ，４１ｃを停止させる３つの停止ボタン５ａ，５ｂ，５ｃなどが設けられている。
さらに、前扉１ａには、各リール４１ａ，４１ｂ，４１ｃに表示された図柄を視認可能とする表示窓６が、各操作手段の上側に設けられている。また、前扉１ａ上部には、液晶ＴＶなどの表示手段からなる表示器８ａと、効果音、音声等が出力されるスピーカ８ｂが設けられている。
【００１９】
筐体１ｂの中央には、リール４１ａ，４１ｂ，４１ｃと、各リール４１ａ，４１ｂ，４１ｃを回転させる図示しないモータ及び回転位置を検出するセンサ等を備えるドラムユニット４が設けられる。
また、筐体１ｂの下部には、メダルの貯留・払出しを行うメダル払出装置７が設けられる。メダル払出装置７には、メダルを貯留するホッパー７ａが設けられ、メダル投入口２より投入されたメダルは、メダルセレクタ９により検知されるとともに、ホッパー７ａに誘導されるようになっている。
【００２０】
メイン制御部１０は、メインＣＰＵ（中央演算処理装置）、メインＲＡＭ、及びメインＲＯＭが一体的に内蔵されたワンチップマイコン、メダルセレクタ９から入力される検知信号を処理するメダル検知部１１等の搭載されたメイン基板と、これを収容する基板ケース等から構成されている。
このような構成からなるメイン制御部１０は、上記の各操作手段からの信号やメダルセレクタ９からの検知信号に基づき、ドラムユニット４、メダル払出装置７などの各装置を制御することで、以下のようなスロットマシン遊技を進行させる。
【００２１】
具体的には、遊技者によりメダル投入口２からメダルが投入されると、メダルがメダルセレクタ９により検知され、検知信号がメイン制御部１０に入力される。また、ベットボタン２ａが操作された場合は、その操作信号がメイン制御部１０に入力される。メイン制御部１０は、これらの信号の入力の有無からゲーム可能なメダル数を監視するとともに、スタートレバー３の操作を監視する。
ゲーム可能なメダル数となったときに、スタートレバー３が操作されると、メイン制御部１０は、ドラムユニット４を駆動して、各リール４１ａ，４１ｂ，４１ｃを回転させる制御を行う。
【００２２】
さらに、メイン制御部１０は、スタートレバー３が操作されたときに、ボーナス役、小役、再遊技役、ハズレなどの複数の抽選対象の中から今回ゲームの当選対象を抽選にて決定する内部抽選を行い、各停止ボタン５ａ，５ｂ，５ｃが押下操作されたタイミングに基づき、抽選結果に応じた図柄の組合せで停止するよう、回転している各リール４１ａ，４１ｂ，４１ｃの停止制御を行う。
【００２３】
また、メイン制御部１０は、各リール４１ａ，４１ｂ，４１ｃに停止表示される図柄の組合せを判定し、所定の図柄の組合せのときには、メダル払出装置７に対して所定数のメダルを払い出す制御を行い、メダルをメダル払出口７ｂから払い出す。
【００２４】
以上のような構成を有するスロットマシン１において、本実施形態では、遊技媒体検知手段として動作するメダルセレクタ９が、第一の発光部と、第一の発光部から出射された光がメダルで遮光されたことを検知する受光部とを有しながらも、受光部に受光されることなく、第一の発光部から受光部に亘る光の伝播経路の一部を照射する第二の発光部を備えている。
以下、メダルセレクタ９の構成について図４、図５を参照しながら説明する。
【００２５】
［メダルセレクタ］
図４は、メダルセレクタ９の要部構成を模式的に示した説明図であり、図（ａ）は、メダルセレクタ９に形成された図中右下方向に傾斜した通過経路９０を転動するメダルを、通過経路９０を間に挟んで配置される発光部９１と受光部９２とで検知している様子と、第二の発光部９３の配置を示す図であり、図（ｂ）は、発光部９１から出射された出射光９１１が受光部９２に入射されるとともに、第二の発光部９３が受光部９２に入射されない外乱光９３１を出射する様子を示すＡ−Ａ断面図である。また、図５は、メダルセレクタ９の制御構成を示すブロック図である。
【００２６】
本実施形態に係るメダルセレクタ９は、メダル投入口２に投入されたメダルをスロットマシン内部に誘導するメダル誘導手段、正規のメダルより外径の小さいメダルを選別して通過経路９０から離脱させるメダル選別手段、スタートレバー３の操作後に新たに投入されたメダルをメダル払出口７ｂより遊技者に返却するメダル返却手段、通過経路９０を通過する正規のメダルを検知するメダル検知手段として動作可能に構成されている。
このようなメダルセレクタ９において、メダル検知手段としての動作を実現する構成において、以下のような特徴を有している。
【００２７】
具体的には、メダルセレクタ９は、図４及び図５に示すように、第一の発光部として動作する発光部９１と、発光部９１より出射された光がメダルで遮光されたことを検知する受光部９２とを有する透過型のフォトセンサを備え、メダル検知手段として動作可能に構成されている。
また、本発明の特徴的な構成として、受光部９２に受光されることなく、発光部９１から受光部９２に亘る光の伝播経路Ｒの一部を照射することにより、第二の発光部として動作する発光部９３を備えている。
【００２８】
発光部９１と受光部９２は、例えば、一体に形成されたフォトインタラプタからなり、それぞれが通過経路９０を間に挟んで配置されるとともに、発光部９１に内蔵された赤外光を投射するＬＥＤと、受光部９２に内蔵されたフォトトランジスタとを有している。
発光部９１は、制限抵抗、所定の周期で発振する発振器等を備える駆動回路１１１により駆動されることで、パルス光からなる出射光９１１を出射する（図５参照）。
出射光９１１は、受光部９２に向かう方向を光軸とし、発光部９１から受光部９２までに亘る経路が光の伝播経路Ｒとなる。
【００２９】
受光部９２は、フォトトランジスタからの検知信号が入力される所定のヒステリシスを有するシュミット回路等を備える検知回路１１２を介してメインＣＰＵに接続されている（図５参照）。
発振器はメインＣＰＵにより発振周期（周波数）を制御可能に構成され、メインＣＰＵは、メインＲＯＭに記憶するプログラムを実行処理することにより、受光部９２を介してパルス光の周期を読み取りながら、自ら発振する発振周期との照合を行い、照合の一致により出射光９１１の入射と判定するとともに、不一致により擬似光の入射と判定する判定処理を行う。
【００３０】
このような構成により、メインＣＰＵは、受光部９２が出射光９１１を受光している期間をメダル非通過状態と判定し、受光部９２が出射光９１１を受光していない期間をメダル通過状態と判定することで、通過経路９０を通過するメダルを検知するようになっている。
また、上記の照合判定により、自ら発振する発振周期と異なる周期を有するパルス光の受光により、不正器具Ｆによる擬似光の入射を判定できるようになっている。
【００３１】
一方、発光部９３は、発光部９１とほぼ同じ波長の赤外光を投射するＬＥＤを内蔵し、このＬＥＤが制限抵抗、所定の周期で発振する発振器等を備える駆動回路１１３により駆動されることで（図５参照）、例えば、パルス光からなる外乱光９３１を出射する。
また、この発振器もメインＣＰＵにより発振周期を制御可能に構成され、発光部９１の発振器とは異なる発振周期で、外乱光９３１を出射させる。すなわち、駆動回路１１３及びメインＣＰＵは、発光態様制御手段の一例であり、発光部９３を、発光部９１とは異なる発光態様で発光させるようになっている。
【００３２】
外乱光９３１は、発光部９３に備えるレンズ等により指向性が制御され、出射光９１１の伝播経路Ｒの一部であって少なくとも通過経路９０の９０ａから９０ｂに亘る範囲Ｌを照射する照射角θを有する。
この照射角θの範囲には、受光部９２の受光範囲を含まないようになっている。
具体的には、発光部９３から出射される外乱光９３１の光軸を、出射光９１１の光軸とは一致（平行）させずに、ずらすように発光部９３を配置してある。
【００３３】
さらに、発光部９３は、図６に示すように、メダル投入口２から挿入された不正器具Ｆが通過経路９０に配置された場合において、不正器具Ｆの受光部ｆ２に、外乱光９３１が入射されるように配置されている。
具体的には、発光部９３は、通過経路９０の断面視（図４（ｂ））において、出射光９１１の光軸と外乱光９３１の光軸とが鋭角α（例えば、５０°）で交差するように配置されている。
これにより、外乱光９３１は、受光部９２により受光されることはないものの、不正器具Ｆの受光部ｆ２に受光されやすくなっている。
【００３４】
このような発光部９１及び発光部９３の光軸のずれと、発光部９１及び発光部９３の発光態様の違いとにより、以下のような奏効を呈することになる。
まず、発光部９１からの出射光９１１は、外乱光９３１の影響を受けることなく、受光部９２に到達することで、メインＣＰＵにより、受光部９２が出射光９１１を受光している期間がメダル非通過状態と判定されることになる。
また、通過経路９０をメダルが通過すると、出射光９１１がメダルで遮光されることとなるので、メインＣＰＵにより、受光部９２が出射光９１１を受光していない期間がメダル通過状態と判定されることになる。
このように、発光部９３からの外乱光９３１は、真のメダルの通過・非通過の判定において何ら影響を及ぼさないようになっている。
【００３５】
一方、図６に示すように、メダル投入口２から挿入された不正器具Ｆが通過経路９０に配置された場合において、不正器具Ｆの受光部ｆ２に、外乱光９３１が入射されることになる。
この場合、不正器具Ｆの受光部ｆ２には、出射光９１１と外乱光９３１との干渉光が入射されることになり、その結果、受光部ｆ２において干渉光の周期を読み取りながら、不正器具Ｆの発光部ｆ１からは、この干渉光のコピー光がメダルの通過時間に相当する間隔をおいて出射されることになる。
そうすると、受光部９２には、このコピー光が入射されることになるが、メインＣＰＵは、自ら発振する発振周期と異なる周期を有する干渉光を検知することになるため、不正器具Ｆによる擬似光の入射を判定することができる。
これにより、例えば、所定のエラー音を、スピーカ８ｂを介して出力することにより、不正器具Ｆの挿入を外部に報知することができる。
【００３６】
このように本実施形態に係る遊技機によれば、不正器具Ｆが外乱光により誤動作するため、不正行為を阻止することができる。
【００３７】
以上、本発明の遊技機の好ましい実施形態について説明したが、本発明に係る遊技機は上述した実施形態にのみ限定されるものではなく、本発明の範囲で種々の変更実施が可能であることはいうまでもない。
【００３８】
例えば、本実施形態では、発光部９３からパルス光を発光したが、発光部９３は発光部９１とは異なる発光態様で発光すれば足りることから、発振周期を有さない単なる点灯態様でもよい。
また、発光部９３に印加される電流をメインＣＰＵにより制御することにより（例えば、駆動回路１１３に制御可能な可変制限抵抗を設けるなど）、外乱光の強度を調整したり、発光部９３を複数のＬＥＤから構成し、各ＬＥＤの点灯・消灯をメインＣＰＵによりそれぞれ制御したりすることもできる。これにより、不正器具Ｆの発光部ｆ１には、出射光９１１とは発光態様のみならず発光強度の異なる外乱光が入射することになり、不正器具Ｆの誤動作がさらに誘発されることになる。
【００３９】
また、本実施形態では、遊技媒体検知手段として、透過型のフォトインタラプタを採用したが、反射型のフォトリフレクタを採用することもできる。
この場合、外乱光９３１が不正器具Ｆの受光部ｆ２に直接入射するものの、通過したメダルに反射した外乱光９３１が、受光部９２に入射しないように発光部９３を配置することが好ましい。
【００４０】
また、本実施形態では、発光部９１と受光部９２とが一体に形成されたものとしたが、別体でもよく、また、発光部９１、受光部９２、及び発光部９３を一体に形成することも、それぞれ別体に形成することもでき、その組合せは任意である。
また、発光部９３の駆動回路１１３をメイン制御部１０に設けたが、サブ制御部２０に設け、発光部９３の発光態様を、サブ制御部２０で制御することもできる。
【００４１】
また、本実施形態では、発光部９１，９３の出射態様（発振周期など）を制御する駆動回路１１１，１１３と、検知回路１１２とを有するメダル検知部１１をメイン制御部１０に設けたが、一体に形成されたフォトインタラプタ（フォトリフレクタ）の内部にメダル検知部１１を内蔵させることもできる。
この場合、検知回路１１２に判定部（ＣＰＵなど）を設け、この判定部が、受光部９２を介して検知する光の発振周期と、駆動回路１１１で発振する発振周期との照合を行い、照合の一致により出射光９１１の入射と判定するとともに、不一致により擬似光の入射と判定する判定処理を行うこともできる。
さらに、この判定部が、受光部９２が出射光９１１を受光している期間をメダル非通過状態と判定するとともに、受光部９２が出射光９１１を受光していない期間をメダル通過状態と判定し、このメダル通過状態を示す検知信号をメイン制御部１０に出力することもできる。
また、判定部が、擬似光の入射と判定したときには、エラー音をスピーカ８ｂを介して出力させるべく、異常信号をメイン制御部１０に出力することもできる。
【産業上の利用可能性】
【００４２】
本発明は、発光部と、発光部から出射された光が遊技媒体で遮光又は反射されたことを検知する受光部とを備える遊技機に好適に利用することができる。
【符号の説明】
【００４３】
１  スロットマシン
９  メダルセレクタ（遊技媒体検知手段）
９１  発光部（第一の発光部）
９２  受光部
９３  発光部（第二の発光部）
１０  メイン制御部
１１１  駆動回路
１１２  検知回路
１１３  駆動回路（発光態様制御手段）
２０  サブ制御部
【図１】
2013223657.tif 000003
【図２】
2013223657.tif 000004
【図３】
2013223657.tif 000005
【図４】
2013223657.tif 000006
【図５】
2013223657.tif 000007
【図６】
2013223657.tif 000008